(57)【要約】      （修正有）【課題】フォトフレームを構成するフレーム本体と裏板との間に挟み込んだ写真等に厚みがある場合でも見栄えが損なわれることがなく、フレーム本体と裏板の間に埃等が侵入し難く、さらに写真等にズレが生じないようにしたフォトフレームを提供する。【解決手段】フレーム本体２と裏板３とを有し、フレーム本体と裏板の少なくとも一方、又は両方を透視可能な材料で形成し、フレーム本体には写真等の展示物４を設置した状態で裏板を嵌め込むことができる凹溝形状５の凹面６を形成してあり、フレーム本体と裏板との隅部の対応位置に設けた貫通孔７ａ、７ｂにボルト８を挿通して該ボルトをナット９で締結することにより、フレーム本体の凹面に設置した写真等の展示物を裏板で挟み込んだ状態にして展示可能とした。【選択図】図１
0003209870.tif 000002
【実用新案登録請求の範囲】
【請求項１】
フレーム本体と裏板とを有し、フレーム本体と裏板の少なくとも一方、又は両方を透視可能な材料で形成し、フレーム本体には写真等の展示物を設置した状態で裏板を嵌め込むことができる凹溝形状の凹面を形成してあり、フレーム本体と裏板との隅部の対応位置に設けた貫通孔にボルトを挿通して該ボルトをナットで締結することにより、フレーム本体の凹面に設置した写真等の展示物を裏板で挟み込んだ状態にして展示可能としたことを特徴とするフォトフレーム。
【請求項２】
フレーム本体と裏板との隅部の対応位置に設けられた貫通孔を用いて締結したボルトとナットのうち、写真等の展示物を表示する裏側の下部のボルトの頭部又はナットを長尺に形成して突出させ、机や棚等の上面に立てたフォトフレームを長尺に形成したボルトの頭部又は長尺のナットで支持することによって該フォトフレームを傾斜状態に立設可能にしたことを特徴とする請求項１記載のフォトフレーム。
【請求項３】
裏板の裏側面上に、壁等の側面に設けたフックを掛止可能に形成してなるフック受部材を設けたことを特徴とする請求項１又は２記載のフォトフレーム。
【請求項４】
フレーム本体及び裏板の四隅に設けた貫通孔に挿通するボルトに係止可能な係止片にリング部材を回転可能に設け、このリング部材を壁等の側面に設けたフックに掛止可能としたことを特徴とする請求項１、２又は３記載のフォトフレーム。
【請求項５】
裏板の四隅にスペーサを設け、それぞれのスペーサにフレーム本体の四隅に設けた貫通孔に対応する貫通孔を形成したことにより、厚さのある展示物をフレーム本体と裏面との間に挟持することを可能としたことを特徴とする請求項１、２、３又は４記載のフォトフレーム。
【請求項６】
フレーム本体には写真等の展示物を設置した状態で裏板を嵌め込むことができる深さの深い凹溝形状の凹面を形成すると共に、裏板の中央に設けたネジ穴にアジャスタープレートの中央から突出するネジの螺入深さを調整可能に螺入し、アジャスタープレートに設けた滑止め面で展示物を押圧することによって、展示物の滑止めとしたことを特徴とする請求項１、２、３、４又は５記載のフォトフレーム。
【考案の詳細な説明】
【技術分野】
【０００１】
本考案は、表板と裏板との間に写真や絵葉書等を挟み込んで机や棚等の上面に展示すると共に、壁面等にも展示することができるフォトフレームに関する。
【背景技術】
【０００２】
従来から知られているフォトフレームは、特許文献１に記載されているように、透明の表板と裏板との四隅に設けた雄ネジに雌ネジを締結することにより、表板と裏板との間に写真等を挟み込んだ状態で展示し、また雌ネジを取り外すことにより写真等を取替えることが可能とされている。このフォトフレームは、長尺の雌ネジを机上等の上面に支持させることにより、フォトフレームを斜めに立てた状態に展示することが可能である。
【０００３】
さらに、特許文献１のフォトフレームは、裏板の背面側にフック受部材が設けられ、このフック受部材を縦方向又は横方向に回動して裏板に固定することで、フォトフレームを縦長状又は横長状にして壁等に取り付けたフックに掛止することが可能とされている。
【先行技術文献】
【特許文献】
【０００４】
【特許文献１】特開２００８−１６８０４０号公報
【考案の概要】
【考案が解決しようとする課題】
【０００５】
ところで、上記のフォトフレームは、表板と裏板との間に挟み込んだ写真等に厚みがある場合、表板と裏板との間に隙間が生じて見栄えが悪くなり、その隙間から埃等が侵入することによって表板と裏板の透明性が損なわれるという不都合があった。
【０００６】
また、上記のフォトフレームは、雄ネジと雌ネジの締め付けが緩むと写真等にズレが生じて斜めに傾いたり、写真等の端部が表板と裏板との間からはみ出てしまう等の不都合があった。そこで、このような写真等のズレを防止するために、裏板の内側面に接着剤を付着した仮留めシートを設けたり、この仮留めシートを写真等の裏面に付着することによって写真等のズレを防止するという工夫がなされていた。
【０００７】
本考案は、上記の事情に鑑みてなされたものであり、フォトフレームを構成するフレーム本体と裏板との間に挟み込んだ写真等に厚みがある場合でも見栄えが損なわれることがなく、フレーム本体と裏板の間に埃等が侵入し難く、さらに写真等にズレが生じないようにしたフォトフレームを提供することを目的とする。
【課題を解決するための手段】
【０００８】
上記の目的を達成するために、本考案の請求項１のフォトフレームは、フレーム本体と裏板とを有し、フレーム本体と裏板の少なくとも一方、又は両方を透視可能な材料で形成し、フレーム本体には写真等の展示物を設置した状態で裏板を嵌め込むことができる凹溝形状の凹面を形成してあり、フレーム本体と裏板との隅部の対応位置に設けた貫通孔にボルトを挿通して該ボルトをナットで締結することにより、フレーム本体の凹面に設置した写真等の展示物を裏板で挟み込んだ状態にして展示可能としたことを特徴とする。
【０００９】
また、本考案の請求項２のフォトフレームは、請求項１において、フレーム本体と裏板との隅部の対応位置に設けられた貫通孔を用いて締結したボルトとナットのうち、写真等の展示物を表示する裏側の下部のボルトの頭部又はナットを長尺に形成して突出させ、机や棚等の上面に立てたフォトフレームを長尺に形成したボルトの頭部又は長尺のナットで支持することによって該フォトフレームを傾斜状態に立設可能にしたことを特徴とする。
【００１０】
また、本考案の請求項３のフォトフレームは、請求項１又は２において、裏板の裏側面上に、壁等の側面に設けたフックを掛止可能に形成してなるフック受部材を設けたことを特徴とする。
【００１１】
また、本考案の請求項４のフォトフレームは、請求項１、２又は３において、フレーム本体及び裏板の四隅に設けた貫通孔に挿通するボルトに係止可能な係止片にリング部材を回転可能に設け、このリング部材を壁等の側面に設けたフックに掛止可能としたことを特徴とする。
【００１２】
また、本考案の請求項５のフォトフレームは、請求項１、２、３又は４において、裏板の四隅にスペーサを設け、それぞれのスペーサにフレーム本体の四隅に設けた貫通孔に対応する貫通孔を形成したことにより、厚さのある展示物をフレーム本体と裏板との間に挟持することを可能としたことを特徴とする。
【００１３】
さらに、本考案の請求項６のフォトフレームは、請求項１、２、３、４又は５において、フレーム本体には写真等の展示物を設置した状態で裏板を嵌め込むことができる深さの深い凹溝形状の凹面を形成すると共に、裏板の中央に設けたネジ穴にアジャスタープレートの中央から突出するネジの螺入深さを調整可能に螺入し、アジャスタープレートに設けた滑止め面で展示物を押圧することによって、展示物の滑止めとしたことを特徴とする。
【考案の効果】
【００１４】
上記の構成を有する本考案のフォトフレームによれば、フレーム本体の凹溝形状の凹面に写真等の展示物を設置して裏板を被せて挟持すると共に、フレーム本体と裏板との隅部の貫通孔にボルトを挿通して            ナットで締結することにより、フレーム本体の凹面と裏板との間に挟み込んだ写真等の展示物を表示することが可能となる。
【００１５】
また、本考案のフォトフレームは、フレーム本体と裏板の少なくとも一方、又は両方を透視可能な材料で形成してあり、写真等の展示物の表面を透明材料のフレーム本体、又は透明材料の裏板に面して設置することにより、写真等の展示物の表面を外方から見えるように表示することが可能である。従って、本考案のフォトフレームは、フレーム本体が写真等の展示物の表面を表示する表板となり、裏板が写真等の展示物を裏側から挟み込む裏板の役割を果たす一方、その逆の使用形態も可能となる。
【００１６】
さらに、写真等の展示物の表面側に裏板を使用し、裏面側にフレーム本体を使用した場合、表側となる裏板の周囲がフレーム本体の縁部で囲まれることになるため、このフレーム本体を非透明性の材料又は着色を施した材料で構成することにより、写真等の展示物の周囲に額縁のような意匠性を施すことが可能となる。
【００１７】
また、本考案において、写真等の展示物はフレーム本体の凹溝形状の内部に落とし込んだ状態で収納されるため、写真等の展示物の厚さがフレーム本体の凹溝の深さを超さないものとする限り、フレーム本体の凹面と裏板との間に生ずる隙間がフレーム本体の縁部で囲まれることによって外部に露出しないようにすることができる。このため、フレーム本体の凹面と裏板との間の隙間に外部の埃等が侵入することがなく、経年的にも常に綺麗な状態で写真等の展示物を表示することが可能となる。
【００１８】
さらに、本考案において、裏板の四隅にスペーサを設け、それぞれのスペーサにフレーム本体の四隅に設けた貫通孔に対応する貫通孔を形成したことにより、厚さのある展示物をフレーム本体と裏板との間に挟持することを可能としている。このとき、スペーサの高さよりも薄い展示物を設置した場合、この展示物はフレーム本体と裏板との間でずれるおそれが生じる。このため、本考案では、深さの深い凹溝形状のフレーム本体の裏板の中央にネジ穴を設け、このネジ穴にアジャスタープレートの中央から突出するネジを螺入してその螺入深さを調整し、アジャスタープレートに設けた滑止め面で展示物を押圧することにより、展示物にずれが生じない状態で展示することが可能となる。
【００１９】
また、本考案のフレーム本体と裏板との隅部の対応位置に設けた貫通孔にボルトを挿通して該ボルトをナットで締結する構成において、写真等の展示物の裏面となる側のフレーム本体又は裏板の背面の下部に長尺の頭部を有するボルト又はナットを配して突出させることにより、机や棚等の上面に立てたフォトフレームを長尺に形成したボルトの頭部又は長尺のナットで支持することによって本考案のフォトフレームを傾斜状態に立設することが可能となる。
【００２０】
さらに、フレーム本体の凹面と裏板との間に挟んだ写真等の展示物の背面側のボルト又はナットを短尺のもので構成し、写真等の展示物の裏面側となるフレーム本体又は裏板に壁等の側面に設けたフックを掛止可能に形成してなるフック受部材を設けたことによって、本考案のフォトフレームを壁等の側面に展示することが可能となる。
【００２１】
また、フレーム本体と裏板の四隅に設けた貫通孔に挿通するボルトに係止可能な係止片にリング部材を回転可能に設け、リング部材を壁面等に設けたフック受部材に掛止することによって、本考案のフォトフレームを壁等の側面に展示することが可能となる。
【図面の簡単な説明】
【００２２】
【図１】本考案による実施例１のフォトフレームを机や棚等の上面に立てて斜めに傾斜した状態で展示した図であり、（ａ）は斜視図、（ｂ）は（ａ）のＡ−Ａ矢示線に沿う断面図である。
【図２】（ａ）は（ｂ）のＢ−Ｂ矢示線に沿う断面図であり、（ｂ）は（ａ）のフォトフレームの背面図である。
【図３】（ａ）は本考案による実施例１のフォトフレームを壁等の側面に取り付けた状態を示す斜視図であり、（ｂ）は（ａ）のＣ−Ｃ矢示線に沿う断面図である。
【図４】（ａ）は本考案による実施例１のフォトフレームの分解状態を示す断面図であり、（ｂ）は（ａ）のフォトフレームを組み立てた状態を示す断面図である。
【図５】（ａ）は図４とは異なる形態の本考案による実施例１のフォトフレームの分解状態を示す断面図であり、（ｂ）は（ａ）のフォトフレームを組み立てた状態を示す断面図である。
【図６】本考案による実施例２のフォトフレームを机や棚等の上面に立てて斜めに傾斜した状態で展示した図であり、（ａ）は斜視図、（ｂ）は（ａ）のＤ−Ｄ矢示線に沿う断面図である。
【図７】（ａ）（ｂ）は（ｃ）のＥ−Ｅ矢示線に沿う断面図であり、（ｃ）は図２（ａ）、（ｂ)のフォトフレームの背面図である。
【図８】（ａ）は本考案による実施例２のフォトフレームを壁等の側面に取り付けた状態を示す斜視図であり、（ｂ）（ｃ）は（ａ）のＦ−Ｆ矢示線に沿う断面図であり、（ｄ)はボルトにリング部材を回転可能に設けた斜視図である。
【図９】本考案による実施例３のフォトフレームを示す図であり、（ａ）は（ｃ）のＧ−Ｇ矢示線に沿う断面図であり、（ｂ）は（ａ）の分解斜状態を示す断面図であり、(ｃ)は（ａ）の部分背面図である。
【図１０】（ａ）は図１１とは異なる形態の実施例２のフォトフレームであって、（ａ）は（ｃ）のＨ−Ｈ矢示線に沿う分解断面図であり、（ｂ）は（ａ）の分解斜断面図であり、(ｃ)は（ａ）の部分背面図である。
【考案を実施するための形態】
【００２３】
以下、本考案の実施例について図面を参照しながら説明する。
【実施例１】
【００２４】
本実施例のフォトフレーム１は、図１（ａ）、（ｂ）に示すように、フレーム本体２と裏板３とを有し、フレーム本体２には写真等の展示物４を設置した状態で裏板３を嵌め込むことができる凹溝形状５の凹面６（図４参照）を形成している。また、フレーム本体２と裏板３との四方の隅部における対応位置に設けた貫通孔７ａ、７ｂにボルト８を挿通して該ボルト８をナット９で締結することにより、フレーム本体２の凹面６に設置した写真等の展示物４を裏板３で挟み込んだ状態にして展示可能としている。
【００２５】
このような構成において、図１（ａ）、（ｂ）のフレーム本体２と裏板３は、透明のアクリル樹脂から形成され、全体が透明の意匠性を有するデザインとしてあるが、少なくとも写真等の展示物４を表示する表側を透視可能な透明に形成してあればフォトフレーム１としての機能を果たすことができ、フレーム本体２のその他の箇所や裏板３は着色や模様等を施してもよい。なお、本実施例において、フレーム本体２と裏板３の形状は、薄厚の四角形の平面形状としてあるが、夫々の平面形状を円形、楕円形、三角形、その他の形状とし、さらには夫々の板面を湾曲状に形成してもよい。
【００２６】
また、フレーム本体２には、上記のように写真等の展示物４を設置した状態で裏板３を嵌め込むことができる凹溝形状５と凹面６を形成してあり、図４（ａ）に示すように、フレーム本体２と裏板３との隅部の対応位置として、フレーム本体２の四方の隅部に貫通孔７ａを形成すると共に、それぞれの貫通孔７ａに対応する裏板３の四方の隅部に貫通孔７ｂを形成している。
【００２７】
また、図１（ａ）又は（ｂ）に示すように、フォトフレーム１の上部の左右の貫通孔７ａ、７ｂには背面側から薄厚の頭部８ａを有するボルト８を挿通して前面側をナット９で締結し、フォトフレーム１の下部の左右の貫通孔７ａ、７ｂには前面側からボルト８を挿通して背面側で長尺のナット９で締結するようにしている。この長尺のナット９を背面側に突出させて、その先端を机や棚等の上面１０に支持させることによってフォトフレーム１を傾斜状態に立設し、写真等の展示物４の表面を外方から見えるように表示することが可能となる。
【００２８】
なお、図１（ａ）、（ｂ）やその他の図面において、本実施例のフォトフレーム１は縦長の形状に立ててあるが、横長の形状に立てた状態にして、その下部の両側の背面に突出する長尺のナット９又は長尺の頭部８ａを有するボルト８を締結するようにしても良い。
【００２９】
このような実施例において、写真等の展示物４はフレーム本体２の凹溝形状５の凹面６側に落とし込んだ状態で収納される。このため、写真等の展示物４の厚さは、フレーム本体２の凹溝形状５の深さを超さない範囲に厚い展示物４をフレーム本体２の凹溝形状５の凹面６側に設けて裏板３で挟み込むことにより、フレーム本体２の凹面６と裏板３との間に生ずる隙間を外部に露出しない状態にすることが可能となる。
【００３０】
さらに、本実施例においては、図２（ａ）、（ｂ）に示すように、フレーム本体２の凹面６と裏板３との間に挟んだ写真等の展示物４の背面側のボルト８の頭部８ａを薄厚に形成して四方の隅部の貫通孔７ａ、７ｂに挿通し、それぞれの前面側において短尺のナット９で締結した構成とすることも可能である。
【００３１】
さらに、本実施例においては、図２（ａ）（ｂ）に示すように、写真等の展示物４の裏面側となる裏板３の背面にアクリル樹脂で形成したコ字形部材からなるフック受部材１１を設けている。このフック受部材１１は、フォトフレーム１を横長又は縦長のいずれにも表示することができるように、裏板３の背面の中央から縦長方向の側方側、又は横長方向の側方側に設け、それぞれのフック受部材１１の内方側に円弧形の凹み形状１１ａを形成すると共に、その中央に棒状のフック１２（図３（ｂ）参照）を掛けることができる凹み部１１ｂを形成している。
【００３２】
このようなフック受部材１１の構成によって、図３（ａ）又は（ｂ）に示すように、壁等の側面１３に設けたフック１２をフック受部材１１のいずれかの凹み部１１ｂに掛止することにより、本実施例のフォトフレーム１を横長状態、又は縦長状態のいずれかの状態で壁等の側面１３に展示することが可能となる。
【００３３】
また、本実施例のフォトフレーム１は、上記で説明した他にも様々な形態に構成することが可能である。上記の図１又は図２に示すフォトフレーム１は、フレーム本体２側を写真等の展示物４の表面側が表示されるように構成している。これに対して、図４（ａ）、（ｂ）に示すフォトフレーム１は、裏板３側を写真等の展示物４の表面側が表示されるように構成し、フレーム本体２の背面に上記のフック受部材１１を設けた構成としている。
【００３４】
このような構成においては、写真等の展示物４の裏面側となるフレーム本体２を非透明性の材料又は着色を施したアクリル樹脂等の材料で構成し、写真等の展示物４の表面側となる裏板３の周囲がフレーム本体２の非透明性の材料又は着色による縁部２ａを形成することによって、写真等の展示物４の周囲に額縁のような意匠性を施すことが可能となる。
【００３５】
また、図１、図２、図３又は図４に示すフォトフレーム１は、フレーム本体２と裏板３の角部２ｂ（図４（ａ）（ｂ）参照）を傾斜状に形成した意匠性を施してあるが、図５（ａ）、（ｂ）に示すように、フレーム本体２及び裏板３は角部２ｂに傾斜を設けず、フレーム本体２の角部２ｂに微小の湾曲で角を取った形状にする等、その他にも多様な形態に構成することが可能である。
【実施例２】
【００３６】
本実施例のフォトフレーム１は、図６（ａ）、（ｂ）に示すように、フレーム本体２と裏板３とを有し、フレーム本体２には写真等の展示物４を設置した状態で裏板３を嵌め込むことができる凹溝形状５の凹面６を形成している。また、フレーム本体２と裏板３との四方の隅部における対応位置に設けた貫通孔７ａ、７ｂにボルト８を挿通して該ボルト８をナット９で締結することにより、フレーム本体２の凹面６に設置した写真等の展示物４を裏板３で挟み込んだ状態にして展示可能としたものである。
【００３７】
以上の構成は、実施例１と同様であるが、本実施例では、裏板３の四隅にスペーサ１４を設け、それぞれのスペーサ１４にフレーム本体２の四隅に設けた貫通孔７ａに対応する貫通孔７ｃを形成した構成としている。このような構成により、図７（ａ）に示すように、フレーム本体２と裏板３との間にスペーサ１４の高さだけの隙間ができ、この隙間にスペーサ１４の高さに等しい展示物４をフレーム本体２と裏板３との間に狭圧状態で挟持することが可能となる。ただし、それぞれのスペーサ１４の高さよりもやや厚い展示物４を展示する場合でもフレーム本体２と裏板３との間に狭圧状態で挟持することも可能である。
【００３８】
さらに、本実施例においては、図７（ｂ）に示すように、裏板３を反転することによってスペーサ１４が設けられていない裏板３の平面側をフレーム本体２の凹面６に向けた状態にして、フレーム本体２と裏板３との間に薄厚の展示物４を狭圧状態で挟持することも可能である。
【００３９】
また、本実施例では、実施例１のように裏板３にフック受部材１１を設けることなく、図８に示すように、フレーム本体２及び裏板３の四隅に設けた貫通孔７ａ、７ｂに挿通するボルト８にリング部材１５を回転可能に設けた構成としている。
【００４０】
このリング部材１５は、図８(ｄ)に示すように、ボルト８に係止可能な穴部（不図示）を有する係止片１５ａに三角形状のリング部材１５を回転可能に設けたものである。このようなリング部材１５は、図８（ｂ）に示すように裏板３のスペーサ１４を裏板３の裏面側に突出させたたり、図８（ｃ）に示すように裏板３のスペーサ１４をフレーム本体２側に突出させた場合、ボルト８に係止片１５ａを係止した状態でリング部材１５を上方に突出させ、このリンク部材１５を壁１３等の側面に設けたフック１２に掛止することによって展示することが可能となる。
【００４１】
なお、図６に示すように、フォトフレーム１を机等の上面に傾斜状に立て掛ける場合、リング部材１５は下方に回転することによってフレーム本体２の背面側に見えない状態に収納しておくことが可能である。
【実施例３】
【００４２】
本実施例のフォトフレーム１の基本的な構成は、実施例２のフォトフレーム１と同様に裏板３にスペーサ１４を設けたものである。本実施例のフォトフレーム１は、図９に示すように、フレーム本体２の縁部２ａの高さを高くすることによってフレーム本体２の凹溝形状５の深さを深くし、裏板３の四隅に実施例２のスペーサ１４よりもさらに高さの高いスペーサ１４を設け、それぞれのスペーサ１４にフレーム本体２の四隅に設けた貫通孔７ａに対応する貫通孔７ｃを形成すると共に裏板３の貫通孔７ｂと合致させる状態で固定したことにより、厚さのある展示物４をフレーム本体２と裏板３との間に挟持することを可能としたものである。
【００４３】
このような構造において、フレーム本体２とスペーサ１４と裏板３の貫通孔７ａ、７ｂ、７ｃに挿通するボルト８は、実施例１及び２の構成の他、図９（ａ）(ｂ)及び図１０（ａ）(ｂ)に示すように、貫通孔７ａ、７ｂ、７ｃに頭部９ａを有する長尺のナット９に捻じ込む構成とすることも可能である。
【００４４】
このような構成において、本実施例では、裏板３の中央に設けたネジ穴３ａにアジャスタープレート１６の中央から突出するネジ１６ａの螺入深さを調整可能にし、アジャスタープレート１６に設けた滑止め面で展示物４の面を押圧することによって、展示物４の滑止めを行った状態で固定するようにしている。
【００４５】
上記の構成は、スペーサ１４の高さよりも薄い展示物を設置した場合、この展示物はフレーム本体２と裏板３との間でズレを生じるため、このような不都合を解消するためになされたものである。従って、アジャスタープレート１６のネジ１６ａの螺入深さを調整し、アジャスタープレート１６に設けた滑止め面で展示物４を押圧することによって、展示物４にずれが生じない状態で展示することが可能となる。
【００４６】
なお、本実施例のフォトフレーム１は、上記のように厚さの厚い展示物４をフレーム本体２と裏板３との間にずれが生じない状態で挟持可能にしたものであるが、図１０（ａ）（ｂ）に示すように、アジャスタープレート１６を取り外して、裏板３のスペーサ１４が設けられていない平面側をフレーム本体２の凹面６側に向けた状態で取付けることによって、写真等のように薄厚の展示物４を表示することが可能である。
【００４７】
また、不図示であるが、本実施例のフォトフレーム１を机等の上面に斜めに立てかけて設置する場合、図１及び図６に示すように下方のボルト８の頭部８ａ又はナット９の頭部９ａを長尺に形成するとよい。また、本実施例のフォトフレーム１を壁面に設けたフックに掛ける場合、図６及び図７に示すようにリング部材１５を取り付けるようにしても良い。
【産業上の利用可能性】
【００４８】
本考案のフォトフレームは、フォトフレームを構成するフレーム本体と裏板との間に挟み込んだ写真等に厚みがある場合でも見栄えが損なわれることがなく、フレーム本体と裏板の間に埃等が侵入し難く、さらに写真等にズレが生じないようにしたフォトフレームとして利用可能である。
【符号の説明】
【００４９】
１  フォトフレーム
２  フレーム本体
２ａ  フレーム本体の縁部
２ｂ  フレーム本体の角部
３  裏板
３ａ  ネジ穴
４  写真等の展示物
５  凹溝形状
６  凹面
７ａ  フレーム本体の貫通孔
７ｂ  裏板の貫通孔
７ｃ  スペーサの貫通孔
８  ボルト
８ａ  ボルトの頭部
９  ナット
９ａ  ナットの頭部
１０  机や棚等の上面
１１  フック受部材
１１ａ  凹み形状
１１ｂ  凹み部
１２  フック
１３  壁等の側面
１４  スペーサ
１５  リング部材
１５ａ  係止片
１６  アジャスタープレート
１６ａ  ネジ
【図１】
0003209870.tif 000003
【図２】
0003209870.tif 000004
【図３】
0003209870.tif 000005
【図４】
0003209870.tif 000006
【図５】
0003209870.tif 000007
【図６】
0003209870.tif 000008
【図７】
0003209870.tif 000009
【図８】
0003209870.tif 000010
【図９】
0003209870.tif 000011
【図１０】
0003209870.tif 000012